【手続補正書】
【提出日】平成16年10月18日(2004.10.18)
【手続補正１】
【補正対象書類名】明細書
【補正対象項目名】発明の名称
【補正方法】変更
【補正の内容】
【発明の名称】ネットワーク・サービスを許諾するシステム及び方法、及び、権利行使システム及びコンピュータ実行方法
【手続補正２】
【補正対象書類名】特許請求の範囲
【補正対象項目名】全文
【補正方法】変更
【補正の内容】
【特許請求の範囲】
【請求項１】
頒布されるネットワーク・サービス（１１９）の消費を、前記頒布されるネットワーク・サービス（１１９）に関連付けられた権利表現情報（１２７）に従ってコントロールし、前記頒布されるネットワーク・サービス（１１９）の使用の方法を指定する方法であって、
前記頒布されるネットワーク・サービス（１１９）の使用の方法を表示する権利表現情報（１２７）であって、前記頒布されるネットワーク・サービス（１１９）に関連付けられた権利表現情報（１２７）を決定し、
前記権利表現情報（１２７）に基づいて前記頒布されるネットワーク・サービス（１１９）の消費をコントロールする、
方法。
【請求項２】
更に、
クライアント（１０３）から前記頒布されるネットワーク・サービス（１１９）のプロバイダ（１０１）へ前記権利表現情報（１２７）を送信する、
請求項１に記載の方法。
【請求項３】
更に、
前記クライアント（１０３）で、権利表現情報発行サービス（１０５）から前記権利表現情報（１２７）を受け取る、
請求項１又は２に記載の方法。
【請求項４】
更に、
前記権利表現情報発行サービス（１０５）で、前記権利表現情報発行サービス（１０５）に関連付けられたビジネス・ネットワーク（１０７）から前記権利表現情報（１２７）を発行する権利（３０５）を受け取る、
請求項１から３の何れか一項に記載の方法。
【請求項５】
更に、
権利表現情報解釈サービス（１０９）で、前記クライアント（１０３）から前記プロバイダ（１０１）へ送信された前記権利表現情報（１２７）を解釈し、前記プロバイダ（１０１）が前記頒布されるネットワーク・サービス（１１９）へのアクセスを許可したか否かを決定する、
請求項１から４の何れか一項に記載の方法。
【請求項６】
更に、
前記権利表現情報（１２７）に関連付けられ、状態追跡サービス（１１１）から受け取られた状態データ（１１５）に基づいて、前記クライアント（１０３）から前記プロバイダ（１０１）へ送信された前記権利表現情報（１２７）を解釈する、
請求項１から５の何れか一項に記載の方法。
【請求項７】
更に、
前記状態追跡サービス（１１１）で、前記プロバイダ（１０１）から前記状態データ（１１５）の少なくとも一部分を受け取る、
請求項１から６の何れか一項に記載の方法。
【請求項８】
更に、
前記権利表現情報発行サービス（１０５）、前記権利表現情報解釈サービス（１０９）、及び前記状態追跡サービス（１１１）を、信頼管轄サービス（１１３）、前記サービス・プロバイダ（１０１）及び前記クライアント（１０３）の間に提供される中間層として構成し、
前記信頼管轄サービス（１１３）が、前記権利表現情報発行サービス（１０５）、前記権利表現情報解釈サービス（１０９）、及び前記状態追跡サービス（１１１）の間の信頼関係を管理する、
請求項１から７の何れか一項に記載の方法。
【請求項９】
更に、
前記権利表現情報発行サービス（１０５）、前記権利表現情報解釈サービス（１０９）、及び前記状態追跡サービス（１１１）を、信頼管轄サービス（１１３）、前記サービス・プロバイダ（１０１）及び前記クライアント（１０３）の間に設けられる専門サービス・プロバイダによって提供される専門サービスとして構成し、
前記信頼管轄サービス（１１３）が、前記権利表現情報発行サービス（１０５）、前記権利表現情報解釈サービス（１０９）、及び前記状態追跡サービス（１１１）の間の信頼関係を管理する、
請求項１から７の何れか一項に記載の方法。
【請求項１０】
前記信頼管轄サービス（１１３）が、前記権利表現情報（１２７）に関連付けられた信頼証明書（１１７）に含まれる情報を立証する、請求項９に記載の方法。
【請求項１１】
更に、
権利表現言語を使用して前記権利表現情報（１２７）を表現する、
請求項１に記載の方法。
【請求項１２】
前記権利表現言語が文法ベースの権利表現言語を含む、請求項１１に記載の方法。
【請求項１３】
前記文法ベースの権利表現言語が拡張可能権利マークアップ言語（ＸｒＭＬ）を含む、請求項１２に記載の方法。
【請求項１４】
アクセスをコントロールする前記ステップが、
前記権利表現情報（１２７）に基づいて前記頒布されるネットワーク・サービス（１１９）へのアクセスを許可する、
ことを含む、請求項１に記載の方法。
【請求項１５】
更に、
前記頒布されるネットワーク・サービス（１１９）の識別情報を、前記権利表現情報（１２７）の中で指定する、
請求項１に記載の方法。
【請求項１６】
更に、
前記頒布されるネットワーク・サービス（１１９）に関連付けられたサービスの識別情報を、前記権利表現情報（１２７）の中で指定する、
請求項１に記載の方法。
【請求項１７】
頒布されるネットワーク・サービス（１１９）に関連付けられた権利表現情報（１２７）に従って前記頒布されるネットワーク・サービス（１１９）の消費をコントロールし、前記頒布されるネットワーク・サービス（１１９）の使用の方法を指定するコンピュータ・システムであって、
前記頒布されるネットワーク・サービス（１１９）を提供するように構成された頒布ネットワーク・サービス・プロバイダ（１０１）と、
前記頒布されるネットワーク・サービス（１１９）を消費するように構成された前記プロバイダ（１０１）のクライアント（１０３）と、
前記頒布されるネットワーク・サービス（１１９）の使用の方法を表示する権利表現情報（１２７）であって、前記頒布されるネットワーク・サービス（１１９）に関連付けられた権利表現情報（１２７）を決定するように構成されたライセンス発行サーバ（１０５）と、
前記権利表現情報（１２７）に基づいて前記頒布されるネットワーク・サービス（１１９）の消費をコントロールするように構成されたライセンス解釈サーバ（１０９）と、
を備えるシステム。
【請求項１８】
頒布されるネットワーク・サービス（１１９）に関連付けられた権利表現情報（１２７）に従って頒布されるネットワーク・サービス（１１９）の消費をコントロールし、前記頒布されるネットワーク・サービス（１１９）の使用の方法を指定する１つ又は複数の命令を有する１つ又は複数のシーケンスを保有するコンピュータ可読メディアであって、
１つ又は複数の命令を有する１つ又は複数のシーケンスは、１つ又は複数のプロセッサによって実行されるとき、
前記頒布されるネットワーク・サービス（１１９）の使用の方法を表示する権利表現情報（１２７）であって、前記頒布されるネットワーク・サービス（１１９）に関連付けられた権利表現情報（１２７）を決定するステップと、
前記権利表現情報（１２７）に基づいて前記頒布されるネットワーク・サービス（１１９）の消費をコントロールするステップと、
を、１つ又は複数のプロセッサに実行させる命令を含むメディア。
【請求項１９】
頒布されるネットワーク・サービス（１１９）に関連付けられた権利表現情報（１２７）に従って頒布されるネットワーク・サービス（１１９）の消費をコントロールし、前記頒布されるネットワーク・サービス（１１９）の使用の方法を指定するシステムであって、
頒布されるネットワーク・サービス（１１９）の使用の方法を表示する権利表現情報（１２７）であって、前記頒布されるネットワーク・サービス（１１９）に関連付けられた権利表現情報（１２７）を決定する手段（１０５）と、
前記権利表現情報（１２７）に基づいて前記頒布されるネットワーク・サービス（１１９）の消費をコントロールする手段（１０９）と、
を備えるシステム。
【請求項２０】
ネットワーク・サービス（１１９）に関連付けられた権利表現情報（１２７）に従ってネットワーク・サービス（１１９）の消費をコントロールし、前記ネットワーク・サービス（１１９）の使用の方法を指定する方法であって、
前記ネットワーク・サービス（１１９）の使用の方法を表示する権利表現情報（１２７）であって、前記ネットワーク・サービス（１１９）に関連付けられた権利表現情報（１２７）を決定し、
前記権利表現情報（１２７）に基づいて前記ネットワーク・サービス（１１９）の消費をコントロールし、
クライアント（１０３）から前記ネットワーク・サービス（１１９）のプロバイダ（１０１）へ前記権利表現情報（１２７）を送信し、
前記クライアント（１０３）で、権利表現情報発行サーバ（１０５）から前記権利表現情報（１２７）を受け取り、
権利表現情報解釈サーバ（１０９）で、前記クライアント（１０３）から前記プロバイダ（１０１）へ送信された前記権利表現情報（１２７）を解釈して、前記権利表現情報（１２７）に関連付けられて状態追跡サーバ（１１１）から受け取られた状態データ（１１５）に基づいて、前記プロバイダ（１０１）が前記ネットワーク・サービス（１１９）へのアクセスを許可したか否かを決定し、
前記権利表現情報発行サーバ（１０５）、前記権利表現情報解釈サーバ（１０９）、及び前記状態追跡サーバ（１１１）が、信頼管轄サーバ（１１３）、前記サービス・プロバイダ（１０１）及び前記クライアント（１０３）の間に提供される中間層として構成され、
前記信頼管轄サーバ（１１３）が、前記権利表現情報発行サーバ（１０５）、前記権利表現情報解釈サーバ（１０９）、及び前記状態追跡サーバ（１１１）の間の信頼関係を管理する、
方法。
【請求項２１】
ネットワーク・サービス（１１９）に関連付けられた権利表現情報（１２７）に従ってネットワーク・サービス（１１９）の消費をコントロールし、前記ネットワーク・サービス（１１９）の使用の方法を指定するコンピュータ・システムであって、
ネットワーク・サービス（１１９）の使用の方法を表示する権利表現情報（１２７）であって、前記ネットワーク・サービス（１１９）に関連付けられた権利表現情報（１２７）を決定するように構成された権利表現情報発行サーバ（１０５）と、
前記権利表現情報（１２７）に基づいて前記ネットワーク・サービス（１１９）の消費をコントロールするように構成された権利表現情報解釈サーバ（１０９）と、
を備え、
前記権利表現情報（１２７）が、クライアント（１０３）から前記ネットワーク・サービス（１１９）のプロバイダ（１０１）へ送信され、
前記権利表現情報（１２７）が、前記権利表現情報発行サーバ（１０５）から前記クライアント（１０３）で受け取られ、
前記クライアント（１０３）から前記プロバイダ（１０１）へ送信された前記権利表現情報（１２７）が、前記権利表現情報解釈サーバ（１０９）で解釈され、前記権利表現情報（１２７）に関連付けられて状態追跡サーバ（１１１）から受け取られた状態データ（１１５）に基づいて、前記プロバイダ（１０１）が前記ネットワーク・サービス（１１９）へのアクセスを許可したか否かを決定し、
前記権利表現情報発行サーバ（１０５）、前記権利表現情報解釈サーバ（１０９）、及び前記状態追跡サーバ（１１１）が、信頼管轄サーバ（１１３）、前記サービス・プロバイダ（１０１）及び前記クライアント（１０３）の間に提供される中間層として構成され、
前記信頼管轄サーバ（１１３）が、前記権利表現情報発行サーバ（１０５）、前記権利表現情報解釈サーバ（１０９）、及び前記状態追跡サーバ（１１１）の間の信頼関係を管理する、
コンピュータ・システム。
【請求項２２】
ネットワーク・サービス（１１９）に関連付けられた権利表現情報（１２７）に従ってネットワーク・サービス（１１９）の消費をコントロールし、前記ネットワーク・サービス（１１９）の使用の方法を指定する１つ又は複数の命令から成る１つ又は複数のシーケンスを保有するコンピュータ可読メディアであって、
１つ又は複数の命令を有する１つ又は複数のシーケンスは、１つ又は複数のプロセッサによって実行されるとき、
前記ネットワーク・サービス（１１９）の使用の方法を表示する権利表現情報（１２７）であって、前記ネットワーク・サービス（１１９）に関連付けられた権利表現情報（１２７）を決定するステップと、
前記権利表現情報（１２７）に基づいて前記ネットワーク・サービス（１１９）の消費をコントロールするステップと、
クライアント（１０３）から前記ネットワーク・サービス（１１９）のプロバイダ（１０１）へ前記権利表現情報（１２７）を送信するステップと、
前記クライアント（１０３）で、権利表現情報発行サーバ（１０５）から前記権利表現情報（１２７）を受け取るステップと、
権利表現情報解釈サーバ（１０９）で、前記クライアント（１０３）から前記プロバイダ（１０１）へ送信された前記権利表現情報（１２７）を解釈し、前記権利表現情報（１２７）に関連付けられて状態追跡サーバ（１１１）から受け取られた状態データ（１１５）に基づいて、前記プロバイダ（１０１）が前記ネットワーク・サービス（１１９）へのアクセスを許可したか否かを決定するステップと、
を１つ又は複数のプロセッサに実行させる命令を含み、
前記権利表現情報発行サーバ（１０５）、前記権利表現情報解釈サーバ（１０９）、及び前記状態追跡サーバ（１１１）が、信頼管轄サーバ（１１３）、前記サービス・プロバイダ（１０１）及び前記クライアント（１０３）の間の中間層として構成され、
前記信頼管轄サーバ（１１３）が、前記権利表現情報発行サーバ（１０５）、前記権利表現情報解釈サーバ（１０９）、及び前記状態追跡サーバ（１１１）の間の信頼関係を管理する、
コンピュータ可読メディア。
【請求項２３】
ネットワーク・サービス（１１９）に関連付けられた権利表現情報（１２７）に従ってネットワーク・サービス（１１９）の消費をコントロールし、前記ネットワーク・サービス（１１９）の使用の方法を指定するシステムであって、
ネットワーク・サービス（１１９）の使用の方法を表示する権利表現情報（１２７）であって、前記ネットワーク・サービス（１１９）に関連付けられた権利表現情報（１２７）を決定する手段（１０５）と、
前記権利表現情報（１２７）に基づいて前記ネットワーク・サービス（１１９）の消費をコントロールする手段（１０９）と、
前記ネットワーク・サービス（１１９）を提供する手段（１０１）へ前記権利表現情報（１２７）を送信し、前記手段（１０５）から前記権利表現情報（１２７）を受け取る手段（１０３）と、
を備え、
前記手段（１０９）が、前記手段（１０３）から前記手段（１０１）へ送信された前記権利表現情報（１２７）を解釈し、前記権利表現情報（１２７）に関連付けられて状態追跡手段（１１１）から受け取られた状態データ（１１５）に基づいて、前記手段（１０１）が前記ネットワーク・サービス（１１９）へのアクセスを許可したか否かを決定し、
前記手段（１０５）、前記手段（１０９）、及び前記手段（１１１）が、信頼管轄を提供する手段（１１３）と前記サービス・プロバイダ（１０１）及び前記クライアント（１０３）との間に設けられる中間層として構成され、
前記手段（１１３）が、前記手段（１０５）、前記手段（１０９）、及び前記手段（１１１）の間の信頼関係を管理する、
システム。
【請求項２４】
権利表現の発行において決定する信頼に基づいて権利を行使するコンピュータ実行方法であって、
連鎖するサーバにより権利表現を発行し、次の権利表現における権利を発行するために、次のサーバの権利の指定を含むように、最後の権利表現を除く権利表現の各々が、サーバからサーバへ、最終的には、最後のサーバからクライアントへ発行される権利表現の連鎖を形成し、
サーバの各々が権利表現を各々発行する権利を有するか否か決定し、
サーバの各々が権利表現を各々発行する権利を有すると決定された場合には、信頼されるとして、最後の権利表現に表現されている権利をクライアントにより行使し、
少なくとも一のサーバが権利表現を各々発行する権利を有しないと決定された場合には、信頼されないとして、最後の権利表現において表現される権利をクライアントにより行使しない、
コンピュータ実行方法。
【請求項２５】
権利表現のいくつかはコンテンツを使用する権利の指定を含む、請求項２４に記載のコンピュータ実行方法。
【請求項２６】
連鎖におけるサーバの各々が権利表現を各々発行する権利を有するか否かを決定することは、該連鎖の少なくとも一のサーバについて、少なくとも一の決定するサーバを通してなされる、
請求項２４に記載のコンピュータ実行方法。
【請求項２７】
前記決定するサーバのいくつかは前記連鎖におけるサーバである、請求項２６に記載のコンピュータ実行方法。
【請求項２８】
前記決定するサーバのいくつかは前記連鎖におけるサーバではない、請求項２６に記載のコンピュータ実行方法。
【請求項２９】
連鎖におけるサーバの各々が権利表現を各々発行する権利を有するか否かを決定することは、署名が認識されるまで、該連鎖をたどって署名の検証を行うことを含む、請求項２４に記載のコンピュータ実行方法。
【請求項３０】
権利表現の発行において決定する信頼に基づいて権利を行使するシステムであって、
クライアントと、
権利表現を発行するように構成されているサーバの連鎖であって、次の権利表現における権利を発行するために、次のサーバの権利の指定を含むように、最後の権利表現を除く権利表現の各々が、サーバからサーバへ、最終的には、最後のサーバからクライアントへ発行される権利表現の連鎖を形成する、サーバの連鎖と、
サーバの各々が権利表現を各々発行する権利を有するか否かを決定する手段と、
を備え、
サーバの各々が権利表現を各々発行する権利を有すると決定された場合には、信頼されるとして、前記クライアントは、最後の権利表現に表現されている権利を行使し、少なくとも一のサーバが権利表現を各々発行する権利を有しないと決定された場合には、信頼されないとして、該クライアントは、最後の権利表現において表現される権利を行使しない、
システム。
【請求項３１】
権利表現のいくつかはコンテンツを使用する権利の指定を含む、請求項３０に記載のシステム。
【請求項３２】
決定する前記手段は、前記連鎖の少なくとも一のサーバについて、少なくとも一の決定するサーバを含む、請求項３０に記載のシステム。
【請求項３３】
前記決定するサーバのいくつかは前記連鎖におけるサーバである、請求項３２に記載のシステム。
【請求項３４】
前記決定するサーバのいくつかは前記連鎖におけるサーバではない、請求項３２に記載のシステム。
【請求項３５】
決定する前記手段は、署名が認識されるまで、連鎖をたどって署名の検証を行う手段を含む、請求項３０に記載のシステム。